(57)【要約】【課題】キャビネット内部に未実装部分がある場合に、その部分を通過して冷気が流失することを簡便に防止できる電気電子機器収納用キャビネットを提供する。【解決手段】内部に電気電子機器が実装されるキャビネットの筺体の上部または下部または左右に、引出しおよび巻取り可能な通風遮蔽部材５を設け、筺体の未実装部分を流れる冷気を遮蔽できるようにする。通風遮蔽部材５は筺体外面の通気孔を遮蔽する位置に設けたり、筺体内側のマウント間の空間部を遮蔽する位置に設けたりすることができる。通風遮蔽部材５は例えばロールスクリーン状としても、板状の遮蔽部材を複数枚連結したものとしてもよい。【選択図】図２
2011129748.tif 000002
【特許請求の範囲】
【請求項１】
内部に電気電子機器が実装されるキャビネットの筺体の上部または下部または左右に、引出しおよび巻取り可能な通風遮蔽部材を設け、筺体の未実装部分を遮蔽可能としたことを特徴とする電気電子機器収納用キャビネット。
【請求項２】
通風遮蔽部材を、筺体外面の通気孔を遮蔽する位置に設けたことを特徴とする請求項１記載の電気電子機器収納用キャビネット。
【請求項３】
通風遮蔽部材を、筺体内側のマウント間の空間部を遮蔽する位置に設けたことを特徴とする請求項１記載の電気電子機器収納用キャビネット。
【請求項４】
通風遮蔽部材が、ロールスクリーンであることを特徴とする請求項１記載の電気電子機器収納用キャビネット。
【請求項５】
通風遮蔽部材が、板状の遮蔽部材を複数枚連結したものであることを特徴とする請求項１記載の電気電子機器収納用キャビネット。
【発明の詳細な説明】
【技術分野】
【０００１】
本発明は、データセンター等のサーバールームに設置するに適した電気電子機器収納用キャビネットに関するものである。
【背景技術】
【０００２】
データセンター等のサーバールームには、電気電子機器収納用キャビネットが複数列連結配置されており、各キャビネットの内部の機器取付マウントに単位サイズの電気電子機器が実装されている。そしてこれらの電気電子機器の発熱による内部温度の上昇を防止するために、キャビネットの筺体の前面から冷気を吸引し、背面から排気する構造が一般的である。（特許文献１）
【０００３】
このようなサーバールームでは、各キャビネットに冷気を供給することができるように、キャビネットの前面側の通路の天井あるいは床下から通路内に冷気を導き、キャビネットの内部を通過して加熱された空気を背面側のホットアイルと呼ばれる空間に集めて排出する構造が採用されている。
【０００４】
ところが、キャビネットの内部には全て電気電子機器が実装されているとは限らず、将来の増設のために内部機器のない空間部分が残されている場合がある。このような未実装部分ではキャビネットの前面から吸引された冷気が加熱されることなくそのまま背面側に逃げてしまうこととなる。しかも未実装部分ではキャビネット内部の流動抵抗も小さいことから、実装部分よりも大量の冷気が流出することとなり、冷却効率の低下を招くこととなる。
【０００５】
そこで従来は、キャビネットの未実装部分には筺体にブランクパネルなどを取り付けて冷気の流失を防止していたのであるが、未実装部分が多いとブランクパネルの取り付けに多くの手数がかかり、また未実装部分に新たな機器を実装する場合にはブランクパネルを取り外さねばならず、これらの作業が煩雑であるという問題があった。
【先行技術文献】
【特許文献】
【０００６】
【特許文献１】特開２００８−２７１６６５号公報
【発明の概要】
【発明が解決しようとする課題】
【０００７】
本発明は上記した従来の問題点を解決して、キャビネットに未実装部分がある場合の冷気の流失を多くの手数を必要とすることなく簡便に防止することができ、また未実装部分に新たな機器を実装する場合にも簡便に対応することができる電気電子機器収納用キャビネットを提供することを目的とするものである。
【課題を解決するための手段】
【０００８】
上記の課題を解決するためになされた本発明は、内部に電気電子機器が実装されるキャビネットの筺体の上部または下部または左右に、引出しおよび巻取り可能な通風遮蔽部材を設け、筺体の未実装部分を遮蔽可能としたことを特徴とするものである。
【０００９】
なお、通風遮蔽部材を筺体外面の通気孔を遮蔽する位置に設けた構造とすることができ、また通風遮蔽部材を、筺体内側のマウント間の空間部を遮蔽する位置に設けた構造とすることができる。さらに、通風遮蔽部材をロールスクリーンとしたり、板状の遮蔽部材を複数枚連結したものとすることができる。
【発明の効果】
【００１０】
本発明の電気電子機器収納用キャビネットは、キャビネットの筺体の上部または下部または左右に、引出しおよび巻取り可能な通風遮蔽部材を設けたものであるから、この通風遮蔽部材を巻取り状態から引き出すことによって、筺体の未実装部分を簡便に遮蔽することができる。このため、未実装部分から冷気がホットアイル側に逃げることがなくなり、冷却効率を向上させることができる。
【００１１】
また、未実装部分に新たな機器を実装する場合には通風遮蔽部材を巻き取るだけでよく、この場合にも煩雑な手数を要しない。なお、未実装部分のないキャビネットには通風遮蔽部材は不要であるから、通風遮蔽部材は必要なキャビネットにのみ簡便に取り付け可能としておくことが好ましい。
【図面の簡単な説明】
【００１２】
【図１】電気電子機器収納用キャビネットが複数列連結配置された状態を示す斜視図である。
【図２】外側に通風遮蔽部材を取り付けた電気電子機器収納用キャビネットの斜視図である。
【図３】内側に通風遮蔽部材を取り付けた電気電子機器収納用キャビネットの斜視図である。
【図４】内側に通風遮蔽部材を取り付けた電気電子機器収納用キャビネットの斜視図である。
【発明を実施するための形態】
【００１３】
以下に本発明の好ましい実施形態を説明する。
図１は、データセンター等のサーバールームに、電気電子機器収納用キャビネット１が複数列連結配置された状態を示す斜視図であり、ここでは図面を簡素化するために、３×２列の配置が図示されている。２列の電気電子機器収納用キャビネット１は前面２を向かい合わせにして配置され、それらの間に通路３が形成されている。通路３の床面は格子形状等の通気性の部料によって構成されており、床下から通路３内に冷気が上向きに供給されている。冷気は各電気電子機器収納用キャビネット１の筐体の前面２に形成された通気孔からその内部に吸引され、内部機器を冷却したうえで筐体の背面４に形成された通気孔から排出される。
【００１４】
奥側列の右端の電気電子機器収納用キャビネット１Aは筐体の内部全体に電気電子機器が実装されているために通常の構造であるが、中央の電気電子機器収納用キャビネット１Bと左端の電気電子機器収納用キャビネット１Cの筐体の内部には未実装部分があるため、筐体の前面２には未実装部分を遮蔽するための引出しおよび巻取り可能な通風遮蔽部材５が取り付けられている。中央の電気電子機器収納用キャビネット１Bでは上半部が未実装部分であるため通風遮蔽部材５は上半部まで引き出されており、左端の電気電子機器収納用キャビネット１Cでは筐体全体が未実装部分であるため、通風遮蔽部材５は筐体の下部まで引き出されている。
【００１５】
図２はその拡大図であり、電気電子機器収納用キャビネット１の前面２の上部に、ロールスクリーン状の通風遮蔽部材５が取り付けられている。内部機器は筐体の下部から順次実装されるのが通常であるため通風遮蔽部材５を上部に取り付けているが、上部から内部機器を実装する場合には下部に通風遮蔽部材５を取り付ける。ロールスクリーン状の通風遮蔽部材５は基部６に巻取り軸が収納されており、先端部を任意の位置まで引き出すことができる構造である。しかし板状の遮蔽部材を複数枚連結して巻取り可能としたものであってもよい。巻取り可能なものの場合には、ロールスクリーンのように自ら巻き取ることができる構造とすることが好ましい。なお折り畳み構造とする場合には、内部機器の単位高さ（ユニット高さ）の板材を用いることができる。
【００１６】
通風遮蔽部材５の取り付け手段としてはワンタッチで取り付け可能なマグネットが好ましいが、ネジで取り付けるようにしてもよい。このような通風遮蔽部材５は筐体の前面２と背面４のいずれに取り付けてもよいが、前面２に取り付ける場合には上記したように筐体の外側に取り付けることが好ましく、背面４に取り付ける場合には筐体の内側に取り付けることが好ましい。このように取り付ければ通風遮蔽部材５が通気孔に密着し易いためである。
【００１７】
通風遮蔽部材５の先端には引っ掛け部７を設けておき、電気電子機器収納用キャビネット１の端部などに係止できるようにしておく。ロールスクリーン状の通風遮蔽部材５の場合には、内部機器の単位高さごとに引っ掛け止め部を筐体に設けておくことが好ましい。さらに筐体の外壁をパンチングメタルとして通気孔を形成している場合には、パンチングメタルの孔を利用して引っ掛けることも可能であり、この場合には引っ掛け位置の変更を比較的自由に行うことができる。
【００１８】
図３と図４は通風遮蔽部材５を筐体の内側に取り付けた例を示すもので、図３では内部機器が下側から実装されているためにその上方の未実装部分を通風遮蔽部材５で遮蔽しており、図４では内部機器が実装されていないので、全面を通風遮蔽部材５で遮蔽している。このように通風遮蔽部材５を筐体の内側に取り付ける場合には筺体内側のマウント８、８間の空間部を遮蔽する位置に、マウント８を利用して取り付けることができる。また必ずしも筐体の上端に取り付ける必要はなく、内部機器の単位高さの部分に取り付けることもできる。ロールスクリーン状の通風遮蔽部材５の場合にはその先端の引っ掛け部を内部機器の単位高さに対応する間隔で、マウント８もしくは筐体に形成しておくことが好ましい。しかし、マウント８に形成されている機器取り付け用の孔列９を利用することもできる。
【００１９】
通風遮蔽部材５は空気流によるばたつきを抑えるために、側部は必要に応じてマグネットや吸盤を取り付けて、空気流が通風遮蔽部材５の両側から通り抜けることを防止し、冷却効率の低下を防止することが好ましい。あるいはガレージのシャッターのように両側にもガイド部材も設けることにより、空気流の通り抜けを防止するようにしてもよい。
【００２０】
通風遮蔽部材５としては、布、紙、樹脂、金属など任意の材質を選択することができるが、実用的には強度および通風遮断性を考慮して、布、樹脂、金属箔などが適当である。
【００２１】
このように構成された本発明の電気電子機器収納用キャビネットは、通風遮蔽部材５により筺体の未実装部分を通じて流れる空気流を、多くの手数を必要とすることなく簡便に遮蔽することができる。このため、未実装部分から冷気がホットアイル側に逃げることがなくなり、冷却効率を向上させることができる。
【符号の説明】
【００２２】
１  電気電子機器収納用キャビネット
２  前面
３  通路
４  背面
５  通風遮蔽部材
６  基部
７  引っ掛け部
８  マウント
９  機器取り付け用の孔列
【図１】
2011129748.tif 000003
【図２】
2011129748.tif 000004
【図３】
2011129748.tif 000005
【図４】
2011129748.tif 000006